(57)【要約】【課題】高濃度のアンモニアを含む試料水であっても、陽イオンを充分に除去することが可能なイオン交換装置、および陰イオンを確実に検出できる陰イオン検出装置を提供する。【解決手段】被処理液が流入流出する陽極室１５と、水が流入流出する陰極室１６と、前記陽極室１５と陰極室１６とを仕切る陽イオン交換膜４０と、前記陽極室１５に配置された陽極と、前記陰極室１６に配置された陰極と、前記陽極室１５および前記陰極室１６の両方に充填された陽イオン交換体と、前記陽極室１５の圧力を前記陰極室１６の圧力よりも高くする圧力調整手段としての弁Ｖ１３および弁Ｖ１５とを備えた、イオン交換装置と、このイオン交換装置に電気伝導率計７０を組み合わせた陰イオン検出装置。【選択図】図１
2018051448.tif 000002
【特許請求の範囲】
【請求項１】
被処理液が流入流出する陽極室と、水が流入流出する陰極室と、
前記陽極室と陰極室とを仕切る陽イオン交換膜と、
前記陽極室に配置された陽極と、前記陰極室に配置された陰極と、
前記陽極室および前記陰極室の両方に充填された陽イオン交換体と、
前記陽極室の圧力を前記陰極室の圧力よりも高くする圧力調整手段と
を備えた、イオン交換装置。
【請求項２】
前記圧力調整手段が、前記陽極室から流出する被処理液に背圧を付与する手段を含む、請求項１に記載のイオン交換装置。
【請求項３】
前記陽極室の圧力と前記陰極室の圧力の差［陽極室の圧力−陰極室の圧力］が、０．０５〜０．２ＭＰａである、請求項１または２に記載のイオン交換装置。
【請求項４】
陽イオン交換体が、粒状の陽イオン交換樹脂、または陽イオン交換樹脂を含む多孔質体である、請求項１〜３のいずれか一項に記載のイオン交換装置。
【請求項５】
下記式（Ｉ）から求めた陽極室の陽イオン交換体の充填率および下記式（II）から求めた陰極室の陽イオン交換体の充填率が、各々６０〜９０体積％であり、かつ、陰極室の陽イオン交換体の充填率に対する陽極室の陽イオン交換体の充填率の比率が０．８〜１．２５である請求項１〜４のいずれか一項に記載のイオン交換装置。
陽極室の陽イオン交換体の充填率＝陽極室に充填された陽イオン交換体の膨潤状態での体積／陽極室の容積×１００  ・・・（Ｉ）
陰極室の陽イオン交換体の充填率＝陰極室に充填された陽イオン交換体の膨潤状態での体積／陰極室の容積×１００  ・・・（II）
【請求項６】
請求項１〜５のいずれか一項に記載のイオン交換装置と、
前記イオン交換装置の前記陽極室から排出された被処理液の電気伝導率または比抵抗を測定する測定器と
を備えた、陰イオン検出装置。
【請求項７】
さらに、前記電気伝導率または比抵抗を測定する測定器の上流側に、
前記イオン交換装置の前記陽極室から排出された被処理液中の陽イオンを除去するカチオン樹脂筒を備えた、請求項６に記載の陰イオン検出装置。
【発明の詳細な説明】
【技術分野】
【０００１】
本発明は、イオン交換装置、およびイオン交換装置を備えた陰イオン検出装置に関する。
【背景技術】
【０００２】
火力発電所、原子力発電所等においては、水をボイラで加熱して水蒸気とし、蒸気タービンを通過した水蒸気を復水器で凝縮して水とし、ボイラに戻すことが行われる。ボイラと復水器との間で循環する水および水蒸気は、循環水と呼ばれる。循環水が塩分等で汚染されると、ボイラ系統が腐食し減肉や亀裂等を生じることがある。このため循環水の水質を常時監視し塩分等汚染物質を検知する必要がある。復水器においては、水蒸気を水に凝縮させる冷却水として海水が用いられる。復水器の細管にピンホール等が発生した場合、循環水に海水が混入し、循環水中の塩分等汚染物質の濃度が高くなる。
【０００３】
循環水中の汚染物質を検知する方法としては、循環水の電気伝導率または比抵抗を測定する方法が知られている（特許文献１等）。循環水の電気伝導率または比抵抗を測定する方法においては、測定対象として循環水の一部をサンプリングして試料水とし、海水リーク等の汚染物質が及ぼす影響を試料水の電気伝導率または比抵抗の変化として観測する。したがって、試料水の電気伝導率または比抵抗に影響を与える汚染物質以外の成分を除去して、試料水の電気伝導率または比抵抗を観測する必要がある。
【０００４】
循環水には、循環系内の腐食を抑えるために、循環水のｐＨを上げるためのアンモニアおよび脱酸素剤であるヒドラジンが添加されている。復水器において微量の海水がリークし、循環水に混入しても、循環水中の塩分濃度はアンモニアの濃度よりもはるかに低い。そのため、循環水からサンプリングした試料水の電気伝導率の変化はごくわずかであり、復水器における海水のリークを検知することは困難である。そこで、循環水にもともと含まれていた陽イオン化したアンモニア、ならびに海水に含まれていたＮａ＋等の金属イオンを、試料水からイオン交換装置を用いて除去することが行われる。イオン交換装置から排出された処理水には、陽イオンは含まれていないか、含まれていてもごくわずかである。そして、循環水に海水が混入した場合、イオン交換装置から排出された処理水には、Ｃｌ−、ＳＯ４２−等の海水に由来する陰イオン、ならびに対イオンであるＨ＋が含まれる。そして、処理水中のＨ＋は、Ｃｌ−やＳＯ４２−と結合し、塩酸や硫酸を生じる。この処理水の電気伝導率または比抵抗を測定し、電気伝導率または比抵抗の上昇を確認する、すなわちこれら陰イオンあるいは塩酸や硫酸を検出することによって、海水のリークを検知できる。
【０００５】
イオン交換装置としては、通常は、対向配置された陽極および陰極と、陽極および陰極が配置された空間を陽極室および陰極室に仕切る１枚の陽イオン交換膜とを備えたものが用いられる（特許文献１）。
【先行技術文献】
【特許文献】
【０００６】
【特許文献１】特許第３７０４２８９号公報
【発明の概要】
【発明が解決しようとする課題】
【０００７】
近年、発癌性が疑われるヒドラジンの使用を控えるため、アンモニアの使用量を増やし、循環水のｐＨをより高くする傾向にある。そのため、アンモニアの濃度は約１０ｐｐｍ程度と非常に高くなってきている。この濃度は、１０年ほど前と比較すると約１０倍程度である。
しかし、従来のイオン交換装置は、低濃度のアンモニアの除去は可能であったが、高濃度のアンモニアを含む循環水の陽イオンを充分に除去することが困難であり、海水のリークを電気伝導率により正確に検知することも難しかった。
【０００８】
本発明は上記の点に鑑みてなされたものであり、高濃度のアンモニアを含む試料水であっても、陽イオンを充分に除去することが可能なイオン交換装置；および、高濃度のアンモニアを含む試料水であっても、陰イオンを確実に検出できる陰イオン検出装置を提供する。
【課題を解決するための手段】
【０００９】
上記の課題を達成するために、本発明は、以下の構成を採用した。
［１］被処理液が流入流出する陽極室と、水が流入流出する陰極室と、
前記陽極室と陰極室とを仕切る陽イオン交換膜と、
前記陽極室に配置された陽極と、前記陰極室に配置された陰極と、
前記陽極室および前記陰極室の両方に充填された陽イオン交換体と、
前記陽極室の圧力を前記陰極室の圧力よりも高くする圧力調整手段と
を備えた、イオン交換装置。
［２］前記圧力調整手段が、前記陽極室から流出する被処理液に背圧を付与する手段を含む、［１］に記載のイオン交換装置。
［３］前記陽極室の圧力と前記陰極室の圧力の差［陽極室の圧力−陰極室の圧力］が、０．０５〜０．２ＭＰａである、［１］または［２］に記載のイオン交換装置。
［４］陽イオン交換体が、粒状の陽イオン交換樹脂、または陽イオン交換樹脂を含む多孔質体である、［１］〜［３］のいずれか一項に記載のイオン交換装置。
［５］下記式（Ｉ）から求めた陽極室の陽イオン交換体の充填率および下記式（II）から求めた陰極室の陽イオン交換体の充填率が、各々６０〜９０体積％であり、かつ、陰極室の陽イオン交換体の充填率に対する陽極室の陽イオン交換体の充填率の比率が０．８〜１．２５である［１］〜［４］のいずれか一項に記載のイオン交換装置。
陽極室の陽イオン交換体の充填率＝陽極室に充填された陽イオン交換体の膨潤状態での体積／陽極室の容積×１００  ・・・（Ｉ）
陰極室の陽イオン交換体の充填率＝陰極室に充填された陽イオン交換体の膨潤状態での体積／陰極室の容積×１００  ・・・（II）
［６］［１］〜［５］のいずれか一項に記載のイオン交換装置と、
前記イオン交換装置の前記陽極室から排出された被処理液の電気伝導率または比抵抗を測定する測定器と
を備えた、陰イオン検出装置。
［７］さらに、前記電気伝導率または比抵抗を測定する測定器の上流側に、
前記イオン交換装置の前記陽極室から排出された被処理液中の陽イオンを除去するカチオン樹脂筒を備えた、［６］に記載の陰イオン検出装置。
【発明の効果】
【００１０】
本発明のイオン交換装置によれば、高濃度のアンモニアを含む試料水であっても、陽イオンを充分に除去することが可能である。また、本発明の陰イオン検出装置によれば、高濃度のアンモニアを含む試料水であっても、陰イオンを確実に検出できる。
【図面の簡単な説明】
【００１１】
【図１】本発明のイオン交換装置および陰イオン検出装置の第１実施形態を示す概略構成図である。
【図２】本発明のイオン交換装置の本体部の断面図（図３のＩ−Ｉ断面図）である。
【図３】図２のＩＩ−ＩＩ断面図である。
【図４】本発明のイオン交換装置および陰イオン検出装置の第２実施形態を示す概略構成図である。
【図５】本発明のイオン交換装置および陰イオン検出装置の第３実施形態を示す概略構成図である。
【発明を実施するための形態】
【００１２】
＜第１実施形態＞
以下、図１に沿って本発明の第１実施形態に係る陰イオン検出装置２について説明する。
本実施形態の陰イオン検出装置２は、イオン交換装置の本体部１、配管Ｌ１１〜Ｌ１６、弁Ｖ１１〜Ｖ１５、電気伝導率計７０、圧力計７１、７２、フローメーター７３、７４、温度スイッチ７５、フィルタ７６、カチオン樹脂筒７８、および制御装置８０とから概略構成されている。なお、弁Ｖ１１〜Ｖ１５の内、弁Ｖ１２は安全弁であり、他はニードルストップバルブである。
本実施形態の陰イオン検出装置２の内、電気伝導率計７０およびカチオン樹脂筒７８を除く部分が、本実施形態におけるイオン交換装置である。
【００１３】
配管Ｌ１１は、被処理液としての試料水の入口に設けられた弁Ｖ１１から本体部１の陽極室入口１３ａに至る配管である。配管Ｌ１１には、上流側から順に、フィルタ７６、フローメーター７３、圧力計７１が設けられている。また、フィルタ７６の上流側の分岐点Ｐ１１からは、排水口に至る配管Ｌ１２が分岐して設けられており、配管Ｌ１２には、安全弁である弁Ｖ１２が設けられている。
配管Ｌ１３は、本体部１の陽極室出口１７ａから排水口に至る配管である。配管Ｌ１３には、上流側から順に、温度スイッチ７５、弁Ｖ１３、カチオン樹脂筒７８、電気伝導率計７０が設けられている。
【００１４】
配管Ｌ１４は、陰極室に流入させる水としての純水の入口に設けられた弁Ｖ１４から本体部１の陰極室入口１４ａに至る配管である。配管Ｌ１４には、上流側から順に、フローメーター７４、弁Ｖ１５、圧力計７２が設けられている。
配管Ｌ１５は、本体部１の陰極室出口１８ａから水を排出する配管である。配管Ｌ１５は、合流点Ｐ１２において排水口に至る配管Ｌ１６に合流している。配管Ｌ１６の上流端には、ベントＢが設けられている。
【００１５】
［イオン交換装置の本体部］
図２および図３は、本体部１の一例を示す断面図である。本体部１は、内部に空間１０を有する箱状の室枠２０と；室枠２０の空間１０内に室枠２０の内壁に接して対向配置された陽極３１および陰極３２と；周縁が室枠２０に固定された状態で、陽極３１および陰極３２に対向するようにこれらの間に配置され、室枠２０の空間１０を陽極３１側の第１の空間１１および陰極３２側の第２の空間１２に仕切る陽イオン交換膜４０と；第１の空間１１を陽極前室１３、陽極３１を含む陽極室１５、および陽極後室１７に仕切る２枚の陽極室フィルタ５１と；第２の空間１２を陰極前室１４、陰極３２を含む陰極室１６、および陰極後室１８に仕切る２枚の陰極室フィルタ５２と；陽極室１５に充填された第１の陽イオン交換体６１と；陰極室１６に充填された第２の陽イオン交換体６２とを備える。
【００１６】
（室枠）
室枠２０は、陽極室１５を含む第１の空間１１となる凹部が形成された第１の室枠部材２１と；陰極室１６を含む第２の空間１２となる凹部が形成された第２の室枠部材２２と；第１の室枠部材２１の陽イオン交換膜４０と接する面に設けられた枠状の第１のシール材２３と；第２の室枠部材２２の陽イオン交換膜４０と接する面に設けられた枠状の第２のシール材２４と；陽イオン交換膜４０を第１のシール材２３および第２のシール材２４で挟むように、かつ凹部同士が向き合うように重ね合わされた第１の室枠部材２１および第２の室枠部材２２を挟むように配置された第１のステンレス鋼板２５および第２のステンレス鋼板２６と；第１のステンレス鋼板２５、第１の室枠部材２１、第１のシール材２３、陽イオン交換膜４０、第２のシール材２４、第２の室枠部材２２および第２のステンレス鋼板２６を貫通した状態で締結された複数組のボルト２７およびナット２８とを備える。
【００１７】
第１の室枠部材２１には、陽極前室１３に被処理液として試料水を供給する陽極室入口１３ａと；陽極後室１７から試料水を排出する陽極室出口１７ａとが形成されている。
第２の室枠部材２２には、陰極前室１４に水（以下陰極室に流入流出する水を「陰極水」という場合がある。）を供給する陰極室入口１４ａと；陰極後室１８から排水を排出する陰極室出口１８ａとが形成されている。
第１のステンレス鋼板２５には、陽極室入口１３ａおよび陽極室出口１７ａをそれぞれ通すための複数の貫通孔が形成されている。
第２のステンレス鋼板２６には、陰極室入口１４ａおよび陰極室出口１８ａをそれぞれ通すための複数の貫通孔が形成されている。
【００１８】
第１の室枠部材２１および第２の室枠部材２２の材料は、絶縁性を有するものであればよい。該材料としては、例えば、プラスチック（ポリプロピレン等）、セラミックス等が挙げられる。
第１のシール材２３および第２のシール材２４としては、公知のシール材、例えば、ゴムパッキン等が挙げられる。
【００１９】
（電極）
陽極３１および陰極３２の面積は、イオン交換に必要とされる電極間の電流密度（電極の単位面積あたりの電流）に応じて適宜設定される。通常の電流密度は、例えば、３〜１１ｍＡ／ｃｍ２程度である。
陽極３１と陰極３２との距離は、イオン交換に必要とされる電極間の電位勾配（電極間の単位距離あたりの印加電圧）に応じて適宜設定される。通常の電位勾配は、例えば、４〜２０Ｖ／ｃｍ程度である。
【００２０】
陽極３１としては、公知のイオン交換装置の陽極、例えば、チタン板の表面に白金を被覆したもの等が挙げられる。
陰極３２としては、公知のイオン交換装置の陰極、例えば、ステンレス鋼板等が挙げられる。
【００２１】
（陽イオン交換膜）
陽イオン交換膜４０は、陽イオン交換樹脂を膜状にしたものである。
陽イオン交換樹脂としては、公知の陽イオン交換樹脂、例えば、スチレン−ジビニルベンゼン共重合体にスルホン酸基を導入したもの等が挙げられる。
【００２２】
陽イオン交換膜４０の面積は、電極面積、室枠２０の面積等に応じて適宜設定される。
陽イオン交換膜４０と電極（陽極３１または陰極３２）との距離は、特に限定されないが、例えば、１〜３ｍｍである。陽イオン交換膜４０と電極との距離が１ｍｍ以上であれば、試料水および陰極水の流路を充分に確保できる。また、陽イオン交換膜４０と電極とが接触しにくい。陽イオン交換膜４０と電極との距離が３ｍｍ以下であれば、陽極３１と陰極３２との間に電流を流しやすく、印加電圧を低くできる。
【００２３】
（フィルタ）
陽極室フィルタ５１および陰極室フィルタ５２（以下、まとめてフィルタとも記す。）は、第１の陽イオン交換体６１または第２の陽イオン交換体６２（以下、まとめて陽イオン交換体とも記す。）の流失を防ぐとともに、陽極室１５や陰極室１６における試料水や陰極水の流れを均一化するものである。
フィルタとしては、試料水や陰極水を通し、陽イオン交換体を通さないものであればよい。該フィルタとしては、例えば、不織布、網、多孔質体等が挙げられる。
【００２４】
（陽イオン交換体）
陽イオン交換体は、陽イオン交換樹脂を含む成形体である。
陽イオン交換体としては、試料水や陰極水の流れを妨げない点から、粒状の陽イオン交換樹脂、または陽イオン交換樹脂を含む多孔質体が好ましい。
陽イオン交換樹脂を含む多孔質体としては、連続気泡を有する板状またはブロック状の多孔質体、陽イオン交換樹脂の繊維を集積した多孔質体、粒状の陽イオン交換樹脂をバインダ樹脂で結着させた多孔質体等が挙げられる。
【００２５】
下記式（Ｉ）から求めた陽極室の陽イオン交換体の充填率および下記式（II）から求めた陰極室の陽イオン交換体の充填率は、各々６０〜９０体積％が好ましく、７５〜８０体積％がより好ましい。
陽極室の陽イオン交換体の充填率＝陽極室に充填された陽イオン交換体の膨潤状態での体積／陽極室の容積×１００  ・・・（Ｉ）
陰極室の陽イオン交換体の充填率＝陰極室に充填された陽イオン交換体の膨潤状態での体積／陰極室の容積×１００  ・・・（II）
各々の陽イオン交換体の充填率が前記範囲の下限値以上であれば、陽イオンを陽極室１５から陰極室１６によりスムーズに移動させることができる。各々の陽イオン交換体の充填率が前記範囲の上限値以下であれば、試料水や陰極水の流路を充分に確保できる。
また、陰極室の陽イオン交換体の充填率に対する陽極室の陽イオン交換体の充填率の比率は０．８〜１．２５であることが好ましく、同じであることがより好ましい。
【００２６】
［電気伝導率計］
電気伝導率計７０は、陽極室１５から排出された試料水の電気伝導率を測定するものである。
電気伝導率計７０は、陽極室１５から排出された試料水の電気伝導率を測定できるものであればよい。電気伝導率計７０としては、市販の電気伝導率計が挙げられる。中でもフローセルタイプの交流２電極方式のものが好ましい。
【００２７】
［圧力計］
圧力計７１は、陽極室１５の圧力を測定するものである。また、圧力計７２は陰極室１６の圧力を測定するものである。圧力計７１、７２としては、弾性管式圧力計等の市販の圧力計が挙げられる。また、圧力計の代わりに差圧計を用いてもよい。
【００２８】
［フローメーター］
フローメーター７３は、陽極室１５に流入する被処理液（本実施形態では試料水）の流量を測定するものである。また、フローメーター７４は陰極室１６に流入する水（本実施形態では純水）の流量を測定するものである。フローメーター７３、７４としては、浮子式流量計等の市販のフローメーターが挙げられる。
【００２９】
［温度スイッチ］
温度スイッチ７５は、セル内部の高温による破損を回避するため、セル出口の試料水温度を検知するものである。
【００３０】
［フィルタ］
フィルタ７６は、試料水中の異物を除去するためのものである。
フィルタ７６は、試料水中の異物を除去できるものであればよい。フィルタ７６としては、公知の配管用異物除去フィルタが挙げられる。
【００３１】
［カチオン樹脂筒］
カチオン樹脂筒７８は、イオン交換装置で除去しきれなかった陽イオンを除去するためのものである。カチオン樹脂筒７８には陽イオン交換体が充填されている。カチオン樹脂筒７８の陽イオン交換体としては、本体部１に充填された陽イオン交換体と同様のものが使用できる。
カチオン樹脂筒７８に流入する試料水中には、陽イオンは含まれていないか、含まれていてもごくわずかであるため、カチオン樹脂筒７８内の陽イオン交換体は、長期間再生処理を行うことなく使用できるようになっている。
【００３２】
［制御装置］
制御装置８０は、電源部（図示略）と制御部（図示略）とを備える。
電源部は、本体部１の電源も兼ねている。電源部は、本体部１の陽極３１および陰極３２に導線を介して電気的に接続されている。
【００３３】
制御部は、処理部（図示略）、インターフェイス部（図示略）、記憶部（図示略）等を備える。
インターフェイス部は、電気伝導率計７０、圧力計７１、７２、フローメーター７３、７４、温度スイッチ７５等と処理部との間を電気的に接続するものである。
処理部は、記憶部に記憶された各種設定、電気伝導率計７０、圧力計７１、７２、フローメーター７３、７４、温度スイッチ７５等からの情報等に基づいて陽極室および陰極室の圧力、試料水や陰極水の流量、温度の制御等を行うものである。
【００３４】
処理部は、専用のハードウエアによって実現されるものであってもよく、メモリおよび中央演算装置（ＣＰＵ）によって構成され、処理部の機能を実現するためのプログラムをメモリにロードして実行することによってその機能を実現させるものであってもよい。
制御部には、周辺機器として、入力装置、表示装置等が接続されていてもよい。入力装置としては、ディスプレイタッチパネル、スイッチパネル、キーボード等の入力デバイスが挙げられ、表示装置としては、液晶表示装置、ＣＲＴ等が挙げられる。
【００３５】
［圧力調整手段］
本実施形態の圧力調整手段は、主として、弁Ｖ１３、弁Ｖ１５により構成されている。弁Ｖ１３は、配管Ｌ１３の流れを絞ることにより、陽極室１５から流出する被処理液（試料水）に背圧を与え、もって、陽極室１５の圧力を上昇させるようになっている。また、弁Ｖ１５は、配管Ｌ１４の流れを絞ることにより、陰極室１６の圧力を低くするようになっている。
弁Ｖ１３、弁Ｖ１５は、手動で調整するようにしてもよいし、制御装置８０により調整してもよい。
【００３６】
弁Ｖ１３、弁Ｖ１５は、圧力計７１の圧力が、圧力計７２の圧力を上回るように調整される。圧力計７１の圧力（陽極室１５の圧力）と圧力計７２の圧力（陰極室１６の圧力）との差は、０．０５〜０．２ＭＰａであることが好ましく、０．１〜０．１５ＭＰａであることがより好ましい。圧力差が好ましい下限値以上とされることにより、陽イオン除去の効率が充分に上昇する。また、圧力差が好ましい上限値以下とされることにより、陽イオン交換膜４０に対する負荷が抑制される。
【００３７】
弁Ｖ１３、弁Ｖ１５の調整は、基本的には、圧力計７１、圧力計７２の測定値に基づき行うが、フローメーター７３、７４の測定値も参照することが好ましい。
なお、弁Ｖ１１は、配管Ｌ１１の流路の開閉に用いられ、弁Ｖ１４は、配管Ｌ１４の流路の開閉に用いられるが、各々各配管の流れの絞りとして使用してもよい。その場合、これらの弁も、圧力調整手段の一部として機能する。
【００３８】
［陰イオン検出方法］
陰イオン検出装置２を用いることによって、試料水中の陰イオンを検出することができる。
試料水は、陰イオンを検出し、定量する必要のある水であればよく、特に制限されない。試料水としては、例えば、火力発電所、原子力発電所等においてボイラと復水器との間を循環する循環水等が挙げられる。
【００３９】
被処理液である試料水から陽イオンを除去する方法について説明する。
配管Ｌ１１を経由して陽極室入口１３ａから陽極前室１３に供給された試料水は、陽極室フィルタ５１を通過し、陽極室１５に流入する。
なお、万一、配管Ｌ１１内の試料水の圧力が著しく上昇した場合は、弁Ｖ１２が開き、配管Ｌ１２に試料水を逃すことができる。
【００４０】
陽極室１５に流入した試料水中の陽イオンは、陽極室１５に充填された第１の陽イオン交換体６１の陽イオン交換基（スルホン酸基）に吸着される。この際、陽極３１と陰極３２との間に電圧が印加されている場合、陽イオンは、隣接する陽イオン交換基に次々に移動し、陽極室１５の第１の陽イオン交換体６１から陽イオン交換膜４０を介して陰極室１６の第２の陽イオン交換体６２へと電気的に泳動する。すなわち、陽イオン交換体が陽イオンの移動の橋渡し役となり、陽極３１と陰極３２との間の印加電圧を高くしなくても陽イオンを陽極室１５から陰極室１６にスムーズに移動させることができる。
なお、試料水が陰イオンを含む場合、陰イオンは陽イオン交換膜４０を通過できないため、そのまま試料水に残る。
【００４１】
一方、配管Ｌ１４を経由して陰極室入口１４ａから陰極室１６に流入した純水には、陽極室１５から陽イオン交換膜４０を介して陰極室１６に移動した陽イオンが混入する。陰極室１６に流入した純水中の陽イオン濃度は、当然ながら陽極室１５に流入した試料水中の陽イオン濃度よりも低い。また、陽極室１５から陽イオンが陰極室１６に移動してきても、陽イオンを受け取った陰極水は、陰極室出口１８ａから順次排出されるので、陰極水中の陽イオン濃度は、一定の濃度以下に抑制される。そのため、陽イオン交換膜４０を介した陽イオンの陰極室１６への移動がスムーズに行われる。
【００４２】
陰極室１６に移動した陽イオンも、第２の陽イオン交換体６２が陽イオンの移動の橋渡し役となるので、陰極水である純水の抵抗値が高くても、陰極室１６への陽イオンの移動が妨げられない。
また、陽極室１５の圧力が陰極室１６の圧力よりも高いことにより、理由は定かではないが、陽イオン交換膜４０を介して陰極室１６に陽イオンがより一層移動しやすい。
また、陽極室１５の圧力が陰極室１６の圧力よりも高くても、陽極室１５と陰極室１６の両方に陽イオン交換体が充填されているため、陽イオン交換膜４０が圧力差により大きく撓むことはない。そのため、陽イオン交換膜４０が陽極３１や陰極３２に接触しにくくなり、安定してイオン交換を行うことができる。
【００４３】
陽極室１５において陽イオンが除去された試料水は、陽極室出口１７ａから排出され、電気伝導率計７０に送られる。陽極室１５から排出される試料水には、陽イオンは含まれていないか、含まれていてもごくわずかである。また、わずかに残る陽イオンはカチオン樹脂筒７８で除去される。
そして、試料水が海水に由来するＣｌ−、ＳＯ４２−等の陰イオンを含む場合は、電気伝導率計７０に送られる試料水には、陰イオンおよび対イオンであるＨ＋が含まれる。そのため、電気伝導率計７０によって試料水の電気伝導率を測定すると、電気伝導率の上昇を確認できる。すなわちこれら陰イオンに基づく電気伝導率の上昇を検出することによって、海水のリークを検知できる。
【００４４】
＜第２実施形態＞
以下、図４に沿って本発明の第２実施形態に係る陰イオン検出装置３について説明する。なお、図４において、図１と同一の構成部材については、図１と同じ符号を付して、その詳細な説明を省略する。
本実施形態の陰イオン検出装置３は、イオン交換装置の本体部１、配管Ｌ２１〜Ｌ２３、Ｌ２５、Ｌ２６、弁Ｖ２１〜Ｖ２３、電気伝導率計７０、圧力計７１、７２、フローメーター７３、温度スイッチ７５、フィルタ７６、カチオン樹脂筒７８、および制御装置８０とから概略構成されている。なお、弁Ｖ２１〜Ｖ２３の内、弁Ｖ２２は安全弁であり、他はニードルストップバルブである。
本実施形態の陰イオン検出装置３の内、電気伝導率計７０およびカチオン樹脂筒７８を除く部分が、本実施形態におけるイオン交換装置である。
【００４５】
配管Ｌ２１は、被処理液としての試料水の入口に設けられた弁Ｖ２１から本体部１の陽極室入口１３ａに至る配管である。配管Ｌ２１には、上流側から順に、フィルタ７６、フローメーター７３、圧力計７１が設けられている。また、フィルタ７６の上流側の分岐点Ｐ２１からは、排水口に至る配管Ｌ２２が分岐して設けられており、配管Ｌ２２には、安全弁である弁Ｖ２２が設けられている。
【００４６】
配管Ｌ２３は、本体部１の陽極室出口１７ａから本体部１の陰極室入口１４ａに至る配管である。配管Ｌ２３には、上流側から順に、温度スイッチ７５、弁Ｖ２３、カチオン樹脂筒７８、電気伝導率計７０、圧力計７２が設けられている。
配管Ｌ２５は、本体部１の陰極室出口１８ａから水を排出する配管である。配管Ｌ２５は、合流点Ｐ２２において排水口に至る配管Ｌ２６に合流している。配管Ｌ２６の上流端には、ベントＢが設けられている。
【００４７】
本実施形態の圧力調整手段は、主として、弁Ｖ２３により構成されている。弁Ｖ２３は、配管Ｌ２３の流れを絞ることにより、陽極室１５から流出する被処理液に背圧を与え、もって、陽極室１５の圧力を上昇させるようになっている。また、弁Ｖ２３は、配管Ｌ２３の流れを絞ることにより、陰極室１６の圧力を低くするようになっている。
弁Ｖ２３は、手動で調整するようにしてもよいし、制御装置８０により調整してもよい。
【００４８】
弁Ｖ２３は、圧力計７１の圧力が、圧力計７２の圧力を上回るように調整される。圧力計７１の圧力（陽極室１５の圧力）と圧力計７２の圧力（陰極室１６の圧力）との好ましい圧力差は、第１実施形態の場合と同様である。
弁Ｖ２３の調整は、基本的には、圧力計７１、圧力計７２の測定値に基づき行うが、フローメーター７３の測定値も参照することが好ましい。
なお、弁Ｖ２１は、配管Ｌ２１の流路の開閉に用いられる。
【００４９】
陰イオン検出装置３を用いることによって、試料水中の陰イオンを検出することができる。
試料水は、陰イオンを検出し、定量する必要のある水であればよく、特に制限されない。試料水としては、例えば、火力発電所、原子力発電所等においてボイラと復水器との間を循環する循環水等が挙げられる。
【００５０】
被処理液である試料水から陽イオンを除去する方法について説明する。
配管Ｌ２１を経由して陽極室入口１３ａから陽極前室１３に供給された試料水は、陽極室フィルタ５１を通過し、陽極室１５に流入する。
なお、万一、配管Ｌ２１内の試料水の圧力が著しく上昇した場合は、弁Ｖ２２が開き、配管Ｌ２２に試料水を逃すことができる。
【００５１】
陽極室１５に流入した試料水中の陽イオンは、第１実施形態の場合と同様に、第１の陽イオン交換体６１を陽イオンの移動の橋渡し役として、陽イオン交換膜４０を介して陰極室１６に移動する。
なお、試料水が陰イオンを含む場合、陰イオンは陽イオン交換膜４０を通過できないため、そのまま試料水に残る。
【００５２】
一方、陽極室出口１７ａから排出された試料水は、配管Ｌ２３を経由して陰極室入口１４ａから陰極水として陰極室１６に流入する。陰極水には、陽極室１５から陽イオン交換膜４０を介して陰極室１６に移動した陽イオンが混入する。陰極室１６に流入した当初の陰極水中の陽イオン濃度は、陽極室１５に流入した当初の試料水中の陽イオン濃度よりも低い。また、陽極室１５から陽イオンが陰極室１６に移動してきても、陰極水中の陽イオン濃度は、陽極室１５に流入した試料水以上には上昇しない。そのため、陽イオン交換膜４０を介した陽イオンの陰極室１６への移動がスムーズに行われる。なお、陰極水には、試料水中の陰イオンがそのまま残っているので、陰極室１６から排出される際の陰極水中の成分は、陽極室１５に流入した際の試料水中の成分とほぼ同じになる。
【００５３】
陰極室１６に移動した陽イオンも、第２の陽イオン交換体６２が陽イオンの移動の橋渡し役となるので、陰極水の抵抗値が高くても、陰極室１６への陽イオンの移動が妨げられない。
また、陽極室１５の圧力が陰極室１６の圧力よりも高いことにより、理由は定かではないが、陽イオン交換膜４０を介して陰極室１６に陽イオンがより一層移動しやすい。
また、陽極室１５の圧力が陰極室１６の圧力よりも高くても、陽極室１５と陰極室１６の双方に陽イオン交換体が充填されているため、陽イオン交換膜４０が圧力差により大きく撓むことはない。そのため、陽イオン交換膜４０が陽極３１や陰極３２に接触しにくくなり、安定してイオン交換を行うことができる。
【００５４】
陽極室１５において陽イオンが除去された試料水は、陽極室出口１７ａから排出され、陰極室１６に流入する途中で電気伝導率計７０を通過する。陽極室１５から排出される試料水には、陽イオンは含まれていないか、含まれていてもごくわずかである。また、わずかに残る陽イオンはカチオン樹脂筒７８で除去される。
そして、試料水が海水に由来するＣｌ−、ＳＯ４２−等の陰イオンを含む場合は、電気伝導率計７０を通過する試料水には、陰イオンおよび対イオンであるＨ＋が含まれる。そのため、電気伝導率計７０によって試料水の電気伝導率を測定すると、電気伝導率の上昇を確認できる。すなわちこれら陰イオンに基づく電気伝導率の上昇を検出することによって、海水のリークを検知できる。
【００５５】
＜第３実施形態＞
以下、図５に沿って本発明の第３実施形態に係る陰イオン検出装置４について説明する。なお、図５において、図１と同一の構成部材については、図１と同じ符号を付して、その詳細な説明を省略する。
本実施形態の陰イオン検出装置４は、イオン交換装置の本体部１、配管Ｌ３１〜Ｌ３６、弁Ｖ３１〜Ｖ３３、Ｖ３５、電気伝導率計７０、圧力計７１、７２、フローメーター７３、７４、温度スイッチ７５、フィルタ７６、カチオン樹脂筒７８、および制御装置８０とから概略構成されている。なお、弁Ｖ３１〜Ｖ３３、Ｖ３５の内、弁Ｖ３２は安全弁であり、他はニードルストップバルブである。
本実施形態の陰イオン検出装置４の内、電気伝導率計７０およびカチオン樹脂筒７８を除く部分が、本実施形態におけるイオン交換装置である。
【００５６】
配管Ｌ３１は、被処理液としての試料水の入口に設けられた弁Ｖ３１から本体部１の陽極室入口１３ａに至る配管である。配管Ｌ３１には、上流側から順に、フィルタ７６、フローメーター７３、圧力計７１が設けられている。また、フィルタ７６の上流側の分岐点Ｐ３１からは、排水口に至る配管Ｌ３２が分岐して設けられており、配管Ｌ３２には、安全弁である弁Ｖ３２が設けられている。
配管Ｌ３３は、本体部１の陽極室出口１７ａから排水口に至る配管である。配管Ｌ３３には、上流側から順に、温度スイッチ７５、弁Ｖ３３、カチオン樹脂筒７８、電気伝導率計７０が設けられている。
【００５７】
配管Ｌ３４は、配管Ｌ３１のフィルタ７６とフローメーター７３との間の分岐点Ｐ３３から、本体部１の陰極室入口１４ａに至る配管である。配管Ｌ３４には、上流側から順に、フローメーター７４、弁Ｖ３５、圧力計７２が設けられている。
配管Ｌ３５は、本体部１の陰極室出口１８ａから水を排出する配管である。配管Ｌ３５は、合流点Ｐ３２において排水口に至る配管Ｌ３６に合流している。配管Ｌ３６の上流端には、ベントＢが設けられている。
【００５８】
本実施形態の圧力調整手段は、主として、弁Ｖ３３、弁Ｖ３５により構成されている。弁Ｖ３３は、配管Ｌ３３の流れを絞ることにより、陽極室１５から流出する被処理液（試料水）に背圧を与え、もって、陽極室１５の圧力を上昇させるようになっている。また、弁Ｖ３５は、配管Ｌ３４の流れを絞ることにより、陰極室１６の圧力を低くするようになっている。
弁Ｖ３３、弁Ｖ３５は、手動で調整するようにしてもよいし、制御装置８０により調整してもよい。
【００５９】
弁Ｖ３３、弁Ｖ３５は、圧力計７１の圧力が、圧力計７２の圧力を上回るように調整される。圧力計７１の圧力（陽極室１５の圧力）と圧力計７２の圧力（陰極室１６の圧力）との好ましい圧力差は、第１実施形態の場合と同様である。
弁Ｖ３３、弁Ｖ３５の調整は、基本的には、圧力計７１、圧力計７２の測定値に基づき行うが、フローメーター７３、７４の測定値も参照することが好ましい。
なお、弁Ｖ３１は、配管Ｌ３１の流路の開閉に用いられる。
【００６０】
陰イオン検出装置４を用いることによって、試料水中の陰イオンを検出することができる。
試料水は、陰イオンを検出し、定量する必要のある水であればよく、特に制限されない。試料水としては、例えば、火力発電所、原子力発電所等においてボイラと復水器との間を循環する循環水等が挙げられる。
【００６１】
被処理液である試料水から陽イオンを除去する方法について説明する。
配管Ｌ３１を経由して陽極室入口１３ａから陽極前室１３に供給された試料水は、陽極室フィルタ５１を通過し、陽極室１５に流入する。
なお、万一、配管Ｌ３１内の試料水の圧力が著しく上昇した場合は、弁Ｖ３２が開き、配管Ｌ３２に試料水を逃すことができる。
【００６２】
陽極室１５に流入した試料水中の陽イオンは、第１実施形態の場合と同様に、第１の陽イオン交換体６１を陽イオンの移動の橋渡し役として、陽イオン交換膜４０を介して陰極室１６に移動する。
なお、試料水が陰イオンを含む場合、陰イオンは陽イオン交換膜４０を通過できないため、そのまま試料水に残る。
【００６３】
一方、試料水の一部は、配管Ｌ３１から配管Ｌ３４に分配され、陰極室入口１４ａから陰極水として陰極室１６に流入する。陰極水には、陽極室１５から陽イオン交換膜４０を介して陰極室１６に移動した陽イオンが混入する。そのため、陰極水中の陽イオン濃度は、陽極室１５に流入した試料水の陽イオン濃度よりも高くなる。この点は、第１実施形態の陰イオン検出装置２よりも不利である。しかし、試料水を陰極水として使用できるため、純水の供給を要しない点が有利である。
【００６４】
陰極室１６に移動した陽イオンも、第２の陽イオン交換体６２が陽イオンの移動の橋渡し役となるので、陰極水の陽イオン濃度が高くても、陰極室１６への陽イオンの移動が妨げられない。
また、陽極室１５の圧力が陰極室１６の圧力よりも高いことにより、理由は定かではないが、陽イオン交換膜４０を介して陰極室１６に陽イオンがより一層移動しやすい。
また、陽極室１５の圧力が陰極室１６の圧力よりも高くても、陽極室１５と陰極室１６の双方に陽イオン交換体が充填されているため、陽イオン交換膜４０が圧力差により大きく撓むことはない。そのため、陽イオン交換膜４０が陽極３１や陰極３２に接触しにくくなり、安定してイオン交換を行うことができる。
【００６５】
陽極室１５において陽イオンが除去された試料水は、陽極室出口１７ａから排出され、電気伝導率計７０に送られる。陽極室１５から排出される試料水には、陽イオンは含まれていないか、含まれていてもごくわずかである。また、わずかに残る陽イオンはカチオン樹脂筒７８で除去される。
そして、試料水が海水に由来するＣｌ−、ＳＯ４２−等の陰イオンを含む場合は、電気伝導率計７０に送られる試料水には、陰イオンおよび対イオンであるＨ＋が含まれる。そのため、電気伝導率計７０によって試料水の電気伝導率を測定すると、電気伝導率の上昇を確認できる。すなわちこれら陰イオンに基づく電気伝導率の上昇を検出することによって、海水のリークを検知できる。
【００６６】
＜他の実施形態＞
上記各実施形態では、何れも本体部１として図２、３に示す構造のものを用いたが、本体部の構造は、これに限定されない。例えば、上記各実施形態では、何れも本体部１の陽極室入口１３ａと陰極室入口１４ａを図示下側に設け、陽極室出口１７ａと陰極室出口１８ａを図示上側に設けた。すなわち、陽極室１５内における被処理水の流れと、陰極室１６における陰極水の流れを同じ方向（図示において下から上）とした。しかし、陽極室１５内における被処理水の流れと、陰極室１６における陰極水の流れを反対の方向としてもよい。例えば、本体部１の陽極室入口１３ａと陰極室出口１８ａを図示下側に設け、陽極室出口１７ａと陰極室入口１４ａを図示上側に設けてもよい。
なお、気泡の抜けやすさの点では、被処理水の流れと陰極水の流れの双方を下から上の方向とすることが有利である。
【００６７】
また、陽極室フィルタ５１や陰極室フィルタ５２は、陽極室入口１３ａ、陰極室入口１４ａ、陽極室出口１７ａ、陰極室出口１８ａの各々を塞ぐように、第１の室枠部材２１または第２の室枠部材２２の内壁に沿わせて配置してもよい。
また、陽イオン交換体が陽イオン交換樹脂を含む多孔質体である場合は、陽極室フィルタや陰極室フィルタを設けなくてもよい。
また、室枠および電極の形状や面積、ならびに陽イオン交換膜の面積等は、任意に変更可能である。
【００６８】
また、上記各実施形態では、何れも陽極室から流出する被処理液に背圧を付与する手段としてニードルストップバルブを用いたが、ニードルストップバルブに代えて、チェック弁、背圧弁、オリフィス、細管等を用いてもよい。
また、上記各実施形態では、何れも圧力調整手段が、陽極室から流出する被処理液に背圧を付与する手段を含む構成としたが、例えば、第１の実施形態の弁Ｖ１３を、フローメーター７３と圧力計７１との間に移してもよい。
また、上記各実施形態では、電気伝導率計（電気伝導率を測定する測定器）を用いたが、被抵抗計（比抵抗を測定する測定器）を用いてもよい。
また、上記各実施形態の陰イオン検出装置は、いずれもカチオン樹脂筒７８を備える構成としたが、カチオン樹脂筒７８は省略してもよい。
【実施例】
【００６９】
図５に示す陰イオン検出装置４からカチオン樹脂筒７８を除いたものを用意した。但し、下記実施例２では、陰極室入口１４ａと陰極室出口１８ａの上下を逆転させた。
陽極室１５および陰極室１６の容積（電極を除く。）は、それぞれ３８ｍＬとした。
陽極３１および陰極３２の面積は、それぞれ１８５ｃｍ２とした。
陽イオン交換膜４０の面積は、１９０ｃｍ２とした。
陽イオン交換膜４０と電極（陽極３１または陰極３２）との距離は、２ｍｍとした。
【００７０】
陽極３１としては、チタン板の表面に白金を被覆したものを用いた。
陰極３２としては、ステンレス鋼板を用いた。
陽イオン交換膜４０としては、スチレン−ジビニルベンゼン共重合体にスルホン酸基を導入した陽イオン交換樹脂を膜状にしたものを用いた。
陽イオン交換体としては、スチレン−ジビニルベンゼン共重合体にスルホン酸基を導入した陽イオン交換樹脂を粒状にしたものを用いた。
陽イオン交換体の充填率は、およそ７０〜８０体積％となるようにした。
電気伝導率計７０としては、東亜ディーケーケー社製のＥＣＰ−２０Ｔ（変換器）／Ａ６−１３１（検出器）を用いた。
【００７１】
試料水として、１０ｍｇ／Ｌ（ＮＨ３として）のアンモニア水溶液を用意した。
試料水を表１に示す圧力（陽極圧）と流量（陽極流量）で陽極室１５に流すと共に、純水を表１に示す圧力（陰極圧）と流量（陰極流量）で陰極室１６に流し、電流設定値を１．１Ａとして表１に示す印加電圧にてイオン交換を行い、本体部１から排出された試料水（処理水）の電気伝導率を電気伝導率計７０にて測定した。結果を表１に示す。
【００７２】
【表１】
2018051448.tif 000003
【００７３】
陽極圧が陰極圧よりも大きい実施例では、何れも比較例より処理水の電気伝導率が低かった。これは、実施例の方が、陽イオン（Ｈ＋を除く）を充分に除去できたことを意味する。実施例では、差圧を０．１０〜０．１８ＭＰａの範囲で変化させたが、処理水の電気伝導率に特に変化はなかった。したがって、０．１０ＭＰａ程度の差圧があれば、充分に陽イオンの除去効率向上の効果が得られることがわかった。
また、実施例では、陽極流量と陰極流量を、１００〜２００ｍＬ／ｍｉｎの範囲で変化させたが、処理水の電気伝導率に特に変化はなかった。したがって、実施例に用いた装置は、１０ｍｇ／Ｌという高濃度のアンモニア水溶液であっても、２００ｍＬ／ｍｉｎの流量で処理できることが確認できた。
実施例２では、陰極室入口１４ａと陰極室出口１８ａの上下を逆転させたが、実施例１と比較して処理水の電気伝導率に特に差はなかった。また、電流設定値１．１Ａとするために必要な電圧にも、特に差はなかった。
【産業上の利用可能性】
【００７４】
本発明のイオン交換装置を備えた陰イオン検出装置は、火力発電所、原子力発電所等においてボイラと復水器との間を循環する循環水への冷却水（海水）のリークを検知するための装置として有用である。
【符号の説明】
【００７５】
１  本体部、２、３、４  陰イオン検出装置、
１０  空間、１１  第１の空間、１２  第２の空間、
１３  陽極前室、１３ａ  陽極室入口、１４  陰極前室、１４ａ  陰極室入口、
１５  陽極室、１６  陰極室、
１７  陽極後室、１７ａ  陽極室出口、１８  陰極後室、１８ａ  陰極室出口、
２０  室枠、２１  第１の室枠部材、２２  第２の室枠部材、
２３  第１のシール材、２４  第２のシール材、
２５  第１のステンレス鋼板、２６  第２のステンレス鋼板、
２７  ボルト、２８  ナット、３１  陽極、３２  陰極、
４０  陽イオン交換膜、５１  陽極室フィルタ、５２  陰極室フィルタ、
６１  第１の陽イオン交換体、６２  第２の陽イオン交換体、
７０  電気伝導率計、７１  圧力計、７２  圧力計、７３、７４  フローメーター、
７５  温度スイッチ、７６  フィルタ、７８  カチオン樹脂筒、８０  制御装置、
Ｌ１１〜Ｌ１６、Ｌ２１〜Ｌ２３、Ｌ２５、Ｌ２６、Ｌ３１〜Ｌ３６  配管、
Ｖ１１〜Ｖ１５、Ｖ２１〜Ｖ２３、Ｖ３１〜Ｖ３３、Ｖ３５  弁
【図１】
2018051448.tif 000004
【図２】
2018051448.tif 000005
【図３】
2018051448.tif 000006
【図４】
2018051448.tif 000007
【図５】
2018051448.tif 000008
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
試料水中の陽イオンを除去して、試料水の電気伝導率または比抵抗を測定する測定器に供給するためのイオン交換装置であって、
陽極室及び陰極室と、
前記陽極室と陰極室とを仕切る陽イオン交換膜と、
前記陽極室に配置された陽極と、前記陰極室に配置された陰極と、
前記陽極室および前記陰極室の両方に充填された陽イオン交換体と、
前記陽極室の圧力を前記陰極室の圧力よりも高くする圧力調整手段とを備え、
前記試料水は、前記陽極室に流入し、陽イオンを除去された後に前記陽極室から流出して前記測定器に供給されるように構成され、
前記陰極室には、前記陽極室から前記陽イオン交換膜を介して移動した陽イオンを受け取るための水が流入流出するように構成され、
前記陰極室を流入流出する水は、純水、前記測定器で測定に供された後の試料水、および、前記陽極室で陽イオンを除去されていない試料水の何れかであることを特徴とする、イオン交換装置。
【請求項２】
前記圧力調整手段が、前記陽極室から流出する試料水に背圧を付与する手段を含む、請求項１に記載のイオン交換装置。
【請求項３】
前記陽極室の圧力と前記陰極室の圧力の差［陽極室の圧力−陰極室の圧力］が、０．０５〜０．２ＭＰａである、請求項１または２に記載のイオン交換装置。
【請求項４】
陽イオン交換体が、粒状の陽イオン交換樹脂、または陽イオン交換樹脂を含む多孔質体である、請求項１〜３のいずれか一項に記載のイオン交換装置。
【請求項５】
下記式（Ｉ）から求めた陽極室の陽イオン交換体の充填率および下記式（II）から求めた陰極室の陽イオン交換体の充填率が、各々６０〜９０体積％であり、かつ、陰極室の陽イオン交換体の充填率に対する陽極室の陽イオン交換体の充填率の比率が０．８〜１．２５である請求項１〜４のいずれか一項に記載のイオン交換装置。
陽極室の陽イオン交換体の充填率＝陽極室に充填された陽イオン交換体の膨潤状態での体積／陽極室の容積×１００  ・・・（Ｉ）
陰極室の陽イオン交換体の充填率＝陰極室に充填された陽イオン交換体の膨潤状態での体積／陰極室の容積×１００  ・・・（II）
【請求項６】
請求項１〜５のいずれか一項に記載のイオン交換装置と、
前記イオン交換装置の前記陽極室から排出された試料水の電気伝導率または比抵抗を測定する測定器と
を備えた、陰イオン検出装置。
【請求項７】
さらに、前記電気伝導率または比抵抗を測定する測定器の上流側に、
前記イオン交換装置の前記陽極室から排出された試料水中の陽イオンを除去するカチオン樹脂筒を備えた、請求項６に記載の陰イオン検出装置。